(57)【要約】      （修正有）【課題】離れた所から遠目で見ると無地の生地に見え、近くに寄って見ると生地に文字などが視認できる錯視工芸品を提供する。【解決手段】店の入口に置かれるマットである錯視工芸品Ａは、所定の彩度で所定の明度を有する水色で着色されているシート状の生地１と、生地１の水色に対して明度と彩度を若干、強めた略水色の小斑点１１を五ブロッック生地１の上表面に点在させ、五ブロックの外輪郭でＴＯＫＹＯを表現している。このため、マットを遠目で見ると、斑点群２が生地１に溶け込み、錯視により水色の生地１に見え、数ｍ以内の近くからマットを見ると、点在領域の五ブロックの外輪郭で表現されたＴＯＫＹＯが生地１に描かれている様に見え、驚きと感動を与えることができる。【選択図】図１
0003196068.tif 000002
【実用新案登録請求の範囲】
【請求項１】
所定の色相、所定の明度、および所定の彩度で色表現した単色の生地と、
単色の小斑点を生地表面に点在させることにより、その輪郭で文字、記号、符号、または数字を描いた斑点群とからなる錯視工芸品であって、
前記斑点群の前記小斑点は、前記生地の色表現で用いる色相、明度、または彩度に対して、少なくとも１要素を若干ずらしたことを特徴とする錯視工芸品。
【請求項２】
前記小斑点は、直径が０．１ｍｍ〜２．０ｍｍであり、且つ、斑点間の隙間が０．１ｍｍ〜２．０ｍｍであることを特徴とする請求項１に記載の錯視工芸品。
【請求項３】
前記斑点群を複数個、並べて錯視域を形成することにより、特定の意味を持つ言葉を表現し、
前記錯視域が表現する言葉と関連性を持つ別の言葉を任意の色で表現する視認域を、前記錯視域の近傍の生地表面に配置したことを特徴とする請求項１または請求項２に記載の錯視工芸品
【考案の詳細な説明】
【技術分野】
【０００１】
本考案は、錯視工芸品に関する。
【背景技術】
【０００２】
特許文献１には、凹凸図形に陰影を付けて立体的に見せる錯視立体図形が開示されている。
【先行技術文献】
【特許文献】
【０００３】
【特許文献１】特開２００１−３０１３９８号公報
【考案の概要】
【考案が解決しようとする課題】
【０００４】
上記特許文献１の錯視立体図形は、遠目で見ると無地で、近くで見ると文字などが視認できるものではない。
【０００５】
本発明の目的は、離れた所から遠目で見ると無地の生地に見え、近くに寄って見ると生地に文字などが視認できる錯視工芸品の提供にある。
【課題を解決するための手段】
【０００６】
（請求項１について）
錯視工芸品は、生地と斑点群とからなる。
生地は、所定の色相、所定の明度、および所定の彩度で色表現している。
【０００７】
斑点群は、単色の小斑点を生地表面に点在させて形成され、その輪郭で文字、記号、符号、または数字を描いている。
この斑点群の小斑点は、単色の生地の色表現で用いる色相、明度、または彩度に対して、少なくとも１要素を若干ずらした色相、明度、彩度を備えている。
【０００８】
生地表面に点在させて形成した、斑点群の小斑点は、生地と、少なくとも１要素を若干ずらした色相、明度、彩度である。このため、離れた所から遠目で錯視工芸品を見ると、斑点群が生地に溶け込み、錯視により錯視工芸品が無地の生地に見える。
【０００９】
斑点群は、その輪郭で文字、記号、符号、または数字を描いている。このため、近づいて近くから錯視工芸品を見ると、文字、記号、符号、または数字が斑点群の輪郭として見える。
【００１０】
よって、錯視工芸品は、離れた所から遠目で見ると無地の生地に見え、近くに寄って見ると、文字、記号、符号、または数字が生地に描かれている様に見え、驚きと感動を与えることができる。
【００１１】
（請求項２について）
小斑点は、直径が０．１ｍｍ〜２．０ｍｍであり、且つ、斑点間の隙間が０．１ｍｍ〜２．０ｍｍである。
上記数値限定により、離れた所から遠目で錯視工芸品を見ると、斑点群が生地に効果的に溶け込み、錯視が有効に起き、錯視工芸品が無地の生地に見える。
【００１２】
また、近づいて、近くから錯視工芸品を見ると、文字、記号、符号、または数字が、斑点群の輪郭として見える。
よって、錯視工芸品は、離れた所から遠目で見ると無地の生地に見え、近くに寄って見ると、文字、記号、符号、または数字が生地に描かれている様に見えるので、驚きと感動を与えることができる。
【００１３】
（請求項３について）
斑点群を複数個、並べて錯視域を形成して、特定の意味を持つ言葉を表現している。
この錯視域が表現する言葉と関連性を持つ別の言葉を任意の色で表現する視認域を、錯視域の近傍の生地表面に配置している。
【００１４】
このため、離れた所から錯視工芸品を遠目で見ると無地の生地に、視認域の言葉が視認できる。
そして、視認域の言葉に注目して、錯視工芸品に近づき、近くから錯視工芸品を見ると、文字、記号、符号、または数字が、錯視域の斑点群の輪郭として見える。
視認域の存在により、錯視工芸品の近くに、通行人などを誘導して錯視域の文字等を見せることができ、驚きと感動を与えることができる。
【図面の簡単な説明】
【００１５】
【図１】本発明の実施例１に係る錯視工芸品の説明図である。
【図２】その錯視工芸品の拡大図である。
【図３】本発明の実施例２に係る錯視工芸品の説明図である。
【図４】色の属性を示す説明図である。
【図５】実施例２に係る錯視工芸品を適用したセーターの説明図である。
【実施例１】
【００１６】
本発明の実施例１（請求項１、２に対応）に係る錯視工芸品Ａを図１、図２、図４に基づいて説明する。
図１に示すマットである錯視工芸品Ａは、マット本体を構成する長方形の生地１と、生地１の上表面に描かれた斑点群２とからなり、店の入口に置かれる。
シート状を呈する生地１は、表面がポリアミド系繊維で形成され、裏面に黒色のゴムが貼着されている。
この生地１の上表面は、所定の彩度で所定の明度を有する水色で着色されている。
【００１７】
斑点群２は、生地１の上表面に、単色の小斑点１１を点在させ、その点在領域を五ブロックとしている。
そして、点在領域の五ブロックの外輪郭で英大文字（ＴＯＫＹＯ）を表現している。
なお、斑点群２の小斑点１１は、生地１の色表現で用いる水色に対して、その明度と彩度を共に、若干、強めた単色の水色を用いている。
図４に、色相、彩度、明度の関係を示す。
【００１８】
本実施例では、小斑点１１は、図２に示す如く、直径が０．２ｍｍの円形で、斑点間の隙間が１．５ｍｍである。
【００１９】
本実施例の錯視工芸品Ａは、以下の利点を有する。
生地１の上表面に小斑点１１（直径０．２ｍｍ）を点在（隙間を１．５ｍｍ）させ、その点在領域を五ブロックとして斑点群２とし、点在領域の五ブロックの外輪郭で英大文字（ＴＯＫＹＯ）を表現している。なお、小斑点１１は、生地１の色表現で用いる水色に対して、その明度と彩度を共に、若干、大きくした単色の水色である。
【００２０】
このため、店の入口から数ｍ以上離れた所から遠目で錯視工芸品Ａを見ると、斑点群２が生地１に溶け込み、錯視により錯視工芸品Ａが水色の生地１に見える。
そして、店の入口へ近づいて、数ｍ以内の近くから錯視工芸品Ａを見ると、点在領域の五ブロックの外輪郭で表現された英大文字（ＴＯＫＹＯ）が生地１に描かれている様に見える。
よって、店の入口に置かれた錯視工芸品Ａを踏んで店に来た来店者に、驚きと感動を与えることができる。
【実施例２】
【００２１】
本発明の実施例２（請求項１、２、３に対応）に係る錯視工芸品Ｂを図２、図３、図５に基づいて説明する。
図３に示す錯視工芸品Ｂは、スポーツウェアとしての生地３と、斑点群５を存在させた錯視域４と、視認域６とを備える。
【００２２】
生地３は、通気性に優れた木綿で形成されている。なお、スポーツウェアは、長袖の上着である。
この生地３は、所定の彩度で所定の明度を有するオレンジ色で着色されている。
【００２３】
錯視域４の斑点群５は、生地３の表面に点在する様に着色した単色の小斑点５１により形成されている。この小斑点５１の点在領域は、五ブロックであり、その外輪郭で英大文字（ＴＯＫＹＯ）を表現している。
なお、小斑点５１は、生地３の色表現で用いるオレンジ色に対して、その明度と彩度を共に、若干、強めた単色のオレンジ色を用いている。
【００２４】
また、錯視域４が表現する英大文字（ＴＯＫＹＯ）と関連性を持つ、赤色の英文字（Ｗｅｌｃｏｍｅ）を、錯視域４近傍の下側（上着の前側）および上側（上着の後側）に位置する視認域にスクリーン印刷している。
図４に、色相、彩度、明度の関係を示す。
【００２５】
本実施例では、小斑点５１は、直径が０．２５ｍｍの円形で、斑点間の隙間が１．６ｍｍである（図２参照）。
【００２６】
本実施例の錯視工芸品Ｂは、以下の利点を有する。
生地３表面に小斑点５１（直径０．２５ｍｍ）を点在（隙間を１．６ｍｍ）させ、その点在領域を五ブロックとして斑点群５とし、点在領域の五ブロックの外輪郭で英大文字（ＴＯＫＹＯ）を表現している。そして、小斑点５１は、生地３の色表現で用いるオレンジ色に対して、その明度と彩度を共に、若干、大きくした単色のオレンジ色である。
【００２７】
さらに、錯視域４が表現する英大文字（ＴＯＫＹＯ）と関連性を持つ、赤色の英文字（Ｗｅｌｃｏｍｅ）を、錯視域４近傍の下側（上着の前側）および上側（上着の後側）に位置する視認域にスクリーン印刷している。
【００２８】
このため、数ｍ以上離れた所から遠目で、錯視工芸品Ｂであるスポーツウェアを着た人を通行人が見ると、赤色でスクリーン印刷された英文字（Ｗｅｌｃｏｍｅ）が先ず目に付く。この状態では、斑点群５の小斑点５１が生地１に溶け込むので、錯視により、英大文字（ＴＯＫＹＯ）が視認されない。
【００２９】
しかし、赤色のＷｅｌｃｏｍｅが目にとまった通行人がスポーツウェアを着た人に近づいて、数ｍ以内の近くから錯視工芸品Ｂを見ると、点在領域の五ブロックの外輪郭で表現された英大文字（ＴＯＫＹＯ）が生地３に描かれている様に見える。
よって、錯視工芸品Ｂのスポーツウェアを着た人を数ｍ以内の近くから見た通行人に、驚きと感動を与えることができる。
【００３０】
（変形例）
小斑点の生地への形成方法は、スクリーン印刷、レザープリンタ印刷、転写、インクジェット印刷、刺繍、織る、コピー機による複写、版画などが使用できる。
錯視工芸品は、のれん、ズボン、手拭い、テーブルクロス、壁面であっても良い。
【産業上の利用可能性】
【００３１】
本考案の錯視工芸品は、見る人に驚きと感動を与えることができる。
【符号の説明】
【００３２】
Ａ、Ｂ  錯視工芸品
１、３  生地
２、５  斑点群
４  錯視域
６  視認域
１１  小斑点
【図１】
0003196068.tif 000003
【図２】
0003196068.tif 000004
【図３】
0003196068.tif 000005
【図４】
0003196068.tif 000006
【図５】
0003196068.tif 000007